(57)【要約】【課題】悪意のある者が施錠システムを無効化する危険性を低減させる自動車用盗難防止装置を提供する。【解決手段】上記の自動車用盗難防止装置は、第一ハウジング（１０６）から第二ハウジング（１４０）に延びる第一保護部（１４２）を含み、これにより、起動部（１３４）の外側セグメントの少なくとも一部が、第一保護部（１４２）および第一ハウジング（１０６）の間に配置されていることを特徴とする。【選択図】図１
2017525872.tif 000002
【特許請求の範囲】
【請求項１】
第一ハウジング（１０６）と、
前記第一ハウジング（１０６）内で軸Ａ−Ａ’のまわりに回転し、少なくとも部分的に前記第一ハウジング（１０６）内に延びているバレル（１０４）と、
第二ハウジング（１４０）と、
ステアリングコラムのブロック位置および非ブロック位置を取り、少なくとも部分的に前記第二ハウジング（１４０）内に延びている舌片（１１４）と、
前記バレル（１０４）の回転により、前記舌片（１１４）をその施錠位置から非施錠位置に変位させるような、前記舌片（１１４）および前記バレル（１０４）間の運動連鎖と、
少なくとも一部が前記第二ハウジング（１４０）内に延び、前記舌片（１１４）をブロック位置に施錠する施錠システム（１２０）と、
前記第一ハウジング（１０６）の変位により、前記施錠システム（１２０）を起動させるように、前記第一ハウジング（１０６）に接続され、かつ前記第二ハウジング（１４０）に伸びる外側セグメント、および前記第二ハウジング（１４０）の内側に延び、かつ前記施錠システム（１２０）に接続されている内側セグメントを有する、前記施錠システム（１２０）の起動部（１３４）とを含む自動車用盗難防止装置（１００）であって、
さらに、前記第一ハウジング（１０６）から前記第二ハウジング（１４０）に延びる第一保護部（１４２）を含み、これにより、前記起動部（１３４）の前記外側セグメントの少なくとも一部が、前記第一保護部（１４２）および前記第一ハウジング（１０６）の間に配置されていることを特徴とする盗難防止装置（１００）。
【請求項２】
前記第一保護部（１４２）の前記外側セグメントを通過する前記軸Ａ−Ａ’と直交する任意の切断面（Ｐ）に対して、この切断面（Ｐ）における前記起動部（１３４）の断面（Ｓ）の少なくとも一部（Ｓ１）は、前記第一保護部（１４２）と、第二保護部（ＰＰ）と呼ばれる前記盗難防止装置（１００）の第二部分と、前記第一保護部（１４２）および前記第二保護部（ＰＰ）の間を通過することなく、前記第一保護部（１４２）および前記第二保護部（ＰＰ）の両側を区切る切断面の二つの直線（Ｄ１、Ｄ２）とによって画定される保護表面（ＳＰ）と呼ばれる前記切断面（Ｐ）の表面に配置されている請求項１に記載の盗難防止装置（１００）。
【請求項３】
前記第一保護部（１４２）の前記外側セグメントを通過する前記軸Ａ−Ａ’と直交する任意の切断面（Ｐ）に対して、この切断面（Ｐ）における前記起動部（１３４）の前記断面（Ｓ）の全体は、前記第一保護部（１４２）と、第二保護部（ＰＰ）と呼ばれる前記盗難防止装置（１００）の別の部分と、前記第一保護部（１４２）および前記第二保護部（ＰＰ）の間を通過することなく前記第一保護部（１４２）および前記第二保護部（ＰＰ）の両側を区切る前記切断面の二つの直線（Ｄ１、Ｄ２）とによって画定される保護表面（ＳＰ）と呼ばれる前記切断面（Ｐ）の表面に配置されている請求項１に記載の盗難防止装置（１００）。
【請求項４】
各切断面（Ｐ）に対して、前記第二保護部（ＰＰ）は、前記第一ハウジング（１０６）、前記バレル（１０４）、前記運動連鎖の一部（１１８）、および前記第二ハウジング（１４０）の内の一つである請求項２または３に記載の盗難防止装置（１００）。
【請求項５】
前記第一保護部（１４２）の前記外側セグメントを通過する前記軸Ａ−Ａ’と直交する少なくとも一つの切断面（Ｐ）に対して、前記第二保護部（ＰＰ）は、少なくとも２００ＭＰａの機械的引張強さ（ＲＭ）、または少なくとも１００ＨＢのブリネル硬度を有する請求項２から４のいずれか１項に記載の盗難防止装置（１００）。
【請求項６】
前記第一保護部（１４２）の前記外側セグメントを通過する前記軸Ａ−Ａ’と直交する任意の切断面（Ｐ）に対して、前記第二保護部（ＰＰ）は、少なくとも２００ＭＰａの機械的引張強さ（ＲＭ）、または少なくとも１００ＨＢのブリネル硬度を有する請求項２から４のいずれか１項に記載の盗難防止装置（１００）。
【請求項７】
前記第一保護部（１４２）は、少なくとも２００ＭＰａの機械的引張強さ（ＲＭ）、または少なくとも１００ＨＢのブリネル硬度を有する材料で作られている請求項１から６のいずれか１項に記載の盗難防止装置（１００）。
【請求項８】
前記第一保護部（１４２）は、前記第一ハウジング（１０６）および前記第二ハウジング（１４０）を通過する軸Ｄ−Ｄ’のまわりに自由に回転可能に取り付けられている請求項１から７のいずれか１項に記載の盗難防止装置（１００）。
【請求項９】
前記第一保護部（１４２）は、前記第一ハウジング（１０６）の開口部（１１２）に少なくとも５ｍｍを超えて挿入される第一端部と、前記第二ハウジング（１４０）の開口部（１４１）に少なくとも５ｍｍを超えて挿入されている第二端部とを有する請求項１から８のいずれか１項に記載の盗難防止装置（１００）。
【発明の詳細な説明】
【技術分野】
【０００１】
本発明は、自動車用盗難防止装置に関し、特に自動車のイグニション時に車両のステアリングコラムのブロック解除を制御するようにした装置に関する。
【背景技術】
【０００２】
第一ハウジングと、
第一ハウジング内で軸Ａ−Ａ’のまわりに回転する、少なくとも一部が第一ハウジング内に延びているバレルと、
第二ハウジングと、
ステアリングコラムのブロック位置および非ブロック位置を取り、少なくとも一部が第二ハウジング内に延びている舌片と、
バレルの回転が舌片をその施錠位置から非施錠位置に変位させるような、舌片およびバレル間の運動連鎖と、
少なくとも一部が第二ハウジング内に延び、舌片をブロック位置に施錠する施錠システムと、
第一ハウジングの変位が、施錠システムを起動させるように、第一ハウジングに接続され、かつ第二ハウジングに伸びる外側セグメント、および第二ハウジングの内側に延び、かつ施錠システムに接続されている内側セグメントを有する、施錠システムの起動部とを備える自動車用盗難防止装置は公知である。
【０００３】
施錠システムと起動部とにより、悪意のある者が第一保護ハウジングをバレルから取り外そうとしても、バレルは回転するが、ステアリングコラムはブロックされたままである。
【０００４】
本発明の目的は、悪意のある者が、施錠システムを無効化する危険性を低減させた自動車用盗難防止装置を提供することである。
【発明の概要】
【発明が解決しようとする課題】
【０００５】
この目的のために、上記の自動車用盗難防止装置は、さらに、第一ハウジングから第二ハウジングに延びる第一保護部を含み、これにより、起動部の外側セグメントの少なくとも一部が、第一保護部および第一ハウジングの間に配置されていることを特徴としている。
【０００６】
実際、現状技術では、第一ハウジングを取り囲む車室の内装品を取り除くことによって、施錠システムの起動部にアクセスすることが、一般的に可能である。このようにして、悪意のある者は、起動部の外側セグメントを鋸引きすることができ、その結果、悪意のある者は、起動部の内側セグメントが所定の位置に留まり、施錠システムの起動を妨げている間に、第一ハウジングを移動させることができる。本発明によると、第一保護部は、起動部の外側セグメント、少なくとも第一保護部と第一ハウジングとの間に位置するこの外側セグメントの部分の鋸引きを妨げ、したがって、施錠システムを起動させることを防止するか、少なくとも困難にする。
【０００７】
必要に応じて、第一保護部の外側セグメントを通過する軸Ａ−Ａ’と直交する任意の切断面に対して、この切断面における起動部の断面の少なくとも一部は、第一保護部と、第二保護部と呼ばれる盗難防止装置の別の部分と、第一保護部および第二保護部の間を通過することなく、第一保護部および第二保護部の両側を区切る切断面の二つの直線とによって画定される保護表面と呼ばれる切断面に配置されている。
【０００８】
また必要に応じて、第一保護部の外側セグメントを通過する軸Ａ−Ａ’と直交する任意の切断面に対して、この切断面における起動部の断面全体は、第一保護部と、第二保護部と呼ばれる盗難防止装置の別の部分と、第一保護部および第二保護部の間を通過することなく、第一保護部および第二保護部の両側を区切る切断面の二つの直線とによって画定される保護表面と呼ばれる切断面に配置される。
【０００９】
また必要に応じて、各切断面に対して、第二保護部は、第一ハウジング、バレル、運動連鎖の一部、および第二ハウジングの内の一つである。
【００１０】
また必要に応じて、第一保護部の外側セグメントを通過する軸Ａ−Ａ’と直交する少なくとも一つの切断面に対して、第二保護部は、少なくとも２００ＭＰａの機械的引張強さ（ＲＭ）、または少なくとも１００ＨＢのブリネル硬度を有する。
【００１１】
また必要に応じて、第一保護部の外側セグメントを通過する軸Ａ−Ａ’と直交する任意の切断面に対して、第二保護部は、少なくとも２００ＭＰａの機械的引張強さ（ＲＭ）、または少なくとも１００ＨＢのブリネル硬度を有する。
【００１２】
また必要に応じて、第一保護部は、少なくとも２００ＭＰａの機械的引張強さ（ＲＭ）、または少なくとも１００ＨＢのブリネル硬度を有する材料で作られる。
【００１３】
また必要に応じて、第一保護部は、第一ハウジングおよび第二ハウジングを通過する軸Ｄ−Ｄ’のまわりに自由に回転可能に取り付けられる。
【００１４】
また必要に応じて、第一保護部は、第一ハウジングの開口部に少なくとも５ｍｍを超えて挿入される第一端部と、第二ハウジングの開口部に少なくとも５ｍｍを超えて挿入される第二端部とを有する。
【図面の簡単な説明】
【００１５】
【図１】本発明に係る自動車用盗難防止装置の斜視図である。
【図２】ハウジングを取り外した自動車用盗難防止装置の一部の斜視図である。
【図３】起動部の鋸引きを防止する保護表面を示す自動車用盗難防止装置の断面図である。
【図４】起動部の鋸引きを防止する保護表面を示す自動車用盗難防止装置の断面図である。
【図５】起動部の鋸引きを試みている図１と同様の図である。
【発明を実施するための形態】
【００１６】
本発明の実施形態の一例を、添付図面を参照して説明する。
【００１７】
図１〜図５を参照して、本発明に係る自動車用盗難防止装置１００を説明する。盗難防止装置１００は、自動車のステアリングコラムの施錠、およびこの自動車のエンジンの始動を制御するものである。
【００１８】
盗難防止装置１００は、施錠部１０２を備えている。
【００１９】
施錠部１０２は、バレル１０４と、バレル１０４を保護する第一ハウジング１０６とを備えている。バレル１０４は、第一ハウジング１０６内で、前後方向を定める軸Ａ−Ａ’のまわりに回転する。バレル１０４の少なくとも一部は、第一ハウジング１０６内に延びている。説明する例では、バレル１０４は、第一ハウジング１０６から前方に突出している。バレル１０４は、キー（図示せず）を差し込むための後部スロット１０８を備えている。キーがバレル１０４と適合している場合、キーの差し込みは、バレル１０４の回転を可能にするために、バレル１０４を第一ハウジング１０６に対して解錠する。第一ハウジング１０６は、軸Ａ−Ａ’のまわりのほぼ円筒形であり、前方に開口した周方向開口部１１２を定める周方向隆起部１１０を有する。第一ハウジング１０６は、ストッパ１１３も備えている。
【００２０】
さらに、盗難防止装置１００は、ステアリングコラムを施錠するための舌片１１４を備えている。舌片１１４は、軸Ｂ−Ｂ’に沿って並進移動可能に取り付けられている。
【００２１】
軸Ｂ−Ｂ’は、軸Ａ−Ａ’に対して９０°〜１３５°の角度をなしている。舌片１１４は、ステアリングコラムのブロック位置と非ブロック位置とを取る。非施錠位置において、舌片１１４は、ステアリングコラムの回転を確保する。舌片１１４は、バレル１０４の回転によって、その非係合位置と係合位置との間で変位する。さらに、舌片１１４の一方の側には、溝１１６を設けてある。
【００２２】
バレル１０４の回転に応じて舌片１１４を移動させるために、盗難防止装置１００は、さらに、舌片１１４とバレル１０４との間の運動連鎖を含んでいる。これにより、バレル１０４の回転は、舌片１１４をその施錠位置から非施錠位置に変位させる。説明する例では、この運動連鎖は、単一部品、すなわち、舌片１１４をその係合位置から解除位置に押すために、バレル１０４によって駆動される軸Ａ−Ａ’のまわりに回転可能な、カム１１８を含んでいる。
【００２３】
ブロック位置にある舌片１１４を戻すために、盗難防止装置１００は、舌片１１４の戻しばね（図示せず）を、そのブロック位置に備えている。あるいは、ブロック位置にある舌片１１４を戻すのは、バレル１０４の回転によるようになっている。
【００２４】
さらに、盗難防止装置１００は、ブロック位置にある舌片１１４を施錠する施錠システム１２０を含んでいる。
【００２５】
施錠システム１２０は、不法侵入中にブロック位置にある舌片１１４を保持するためのシステム１２２を含んでいる。不法侵入がない場合、保持システム１２２は、舌片１１４がそのブロック位置と非ブロック位置との間で変位することを可能にする解除構成になる。
【００２６】
保持システム１２２を、その解除状態から保持状態に切り替えるスイッチは、逆止めスイッチである。すなわち、保持システム１２２を解除構成に戻すためには、操作者の介入が必要である。
【００２７】
説明する例では、まず、保持システム１２２は、軸Ｃ−Ｃ’に沿って移動可能な一つの平板１２４を備えている。軸Ｃ−Ｃ’は、軸Ｂ−Ｂ’に対して４５°〜１３５°の角度を成している。保持システム１２２が解除構成にある場合、平板１２４は、舌片１１４を変位可能にする解除位置にある。保持システム１２２が保持構成にある場合、平板１２４は、ブロック位置にある舌片１１４をブロックするように、舌片１１４の溝１１６内の係合位置にある。
【００２８】
さらに、保持システム１２２は、軸Ｂ−Ｂ’と平行に移動するロッド１２６を含んでいる。保持システム１２２が解除構成にある場合、ロッド１２６は、平板１２４がその係合位置に達するのを防止するために、平板１２４をブロックする平板１２４の阻止位置にある。保持システム１２２が保持構成にある場合、ロッド１２６は、ロッド１２６が平板１２４から解除され、平板１２４を、その解除位置から係合位置に切り替わることを可能にする起動位置とする。
【００２９】
さらに、施錠システム１２０は、保持システム１２２を舌片１１４の解除構成から保持構成に駆動する戻りシステム１２８を備えている。
【００３０】
説明する例では、戻りシステム１２８は、ロッド１２６をその起動位置に戻す第一戻しばね１３０を備えている。さらに、戻りシステム１２８は、平板１２４を舌片１１４の溝１１６内の係合位置に戻す第二戻しばね１３２を備えている。
【００３１】
さらに、盗難防止装置１００は、不法侵入の場合、施錠システム１２０を起動する起動部１３４を備えている。
【００３２】
起動部１３４は、細長い形状を有し、第一ハウジング１０６から保持システム１２２まで延びている。
【００３３】
不法侵入がない場合、起動部１３４は、戻りシステム１２８にかかわらず、保持システム１２２が保持構成に切り替わることを防止する休止位置にある。第一ハウジング１０６に不法侵入の場合、起動部１３４は、戻りシステム１２８の推進力の下で、保持システム１２２が舌片１１４の保持構成に切り替えることができる別の位置を取る。
【００３４】
より正確には、起動部１３４は、第一ハウジング１０６のストッパ１１３に係合する第一係止端１３６を有する。これにより、第一ハウジング１０６が後方に引かれると、第一ハウジング１０６が起動部１３４を駆動する。
【００３５】
起動部１３４が休止位置にある場合、第一ハウジング１０６が起動部１３４をその休止位置から駆動しない限り、保持システム１２２がブロック位置にある舌片１１４の保持構成に切り替わることを防止するため、起動部１３４は、ロッド１２６が起動位置に達するのを防止するためのストッパを形成する第二係止端１３８を有する。
【００３６】
さらに、施錠システム１２０は、舌片１１４、保持システム１２２、および戻りシステム１２８がそれらを保護するために少なくとも部分的に入り込む第二ハウジング１４０を備えている。第二ハウジング１４０は、起動部１３４の第二係止端１３８の通過開口部１４１を有する。
【００３７】
したがって、起動部１３４は、第一ハウジング１０６および第二ハウジング１４０の外側に延びる外側セグメントを有している。起動部１３４の外側セグメントは、第一係止端１３６によって第一ハウジング１０６に接続され、通過開口部１４１において第二ハウジング１４０まで延びている。
【００３８】
起動部１３４は、通過開口部１４１から保持システム１２２まで第二ハウジング１４０の内部に延びる内側セグメントも備えている。
【００３９】
さらに、盗難防止装置１００は、起動部１３４の外側セグメントの鋸引きの危険性を低減させるため、第一ハウジング１０６および第二ハウジング１４０を通過する軸Ｄ−Ｄ’のまわりに延びるロッドのような第一保護部１４２を備えている。起動部１３４の外側セグメントの少なくとも一部が、第一保護部１４２と第一ハウジング１０６との間に位置するように、第一保護部１４２は、第一ハウジング１０６から第二ハウジング１４０まで延びている。
【００４０】
第一保護部１４２は、第一ハウジング１０６の周方向開口部１１２に挿入される第一端部と、第二ハウジング１４０の開口部に挿入される第二端部とを有する。説明する例では、第二ハウジング１４０の開口部は、起動部１３４の通過開口部１４１である。
【００４１】
好ましくは、第一保護部１４２は、第一および第二ハウジング１０６，１４０の開口部１１２，１４１に、第一保護部１４２の両端をそれぞれ少なくとも５ｍｍ、より好ましくは、少なくとも７ｍｍ挿入されている。したがって、第一保護部１４２を第一および第二ハウジング１０６，１４０から取り外すことは、さらに困難である。
【００４２】
好ましくは、第一保護部１４２は、第一ハウジング１０６および第二ハウジング１４０を通過する軸、例えば軸Ｄ−Ｄ’のまわりに自由に回転可能に取り付けられる。したがって、第一保護部１４２は、鋸引き中に自身で回転し、鋸引きの動作をさらに困難にする。
【００４３】
図３に示すように、第一保護部１４２の外側セグメントを通過する軸Ａ−Ａ’と直交する任意の切断面Ｐに対して、この切断面Ｐにおける起動部１３４の断面Ｓの少なくとも一部Ｓ１は、図３および図４に斜線で示す保護表面ＳＰと呼ばれる切断面Ｐの表面に配置されている。この保護表面ＳＰは、第一保護部１４２と、第二保護部ＰＰおよび第一保護部１４２と第二保護部ＰＰとの間を通過することなく、第一保護部１４２と第二保護部ＰＰとの両側を区切る切断面Ｐの二つの直線Ｄ１、Ｄ２を形成する盗難防止装置１００の他の部分とによって画定される。
【００４４】
切断面Ｐが軸Ａ−Ａ’の方向にあれば、保護表面ＳＰを画定する第二保護部ＰＰは、第一ハウジング１０６、バレル１０４、運動連鎖の一部（例えば、カム１１８）または第二ハウジング１４０である。
【００４５】
図３から明らかなように、第一保護部１４２および第二保護部ＰＰに接することなく、真直ぐな鋸を用いて、軸Ａ−Ａ’に対して直交する起動部を完全に鋸引きすることは不可能である。
【００４６】
好ましくは、起動部の断面の一部Ｓ１は、保護表面内に、少なくとも１ｍｍ以上入り込んでいる。
【００４７】
より好ましくは、図４に示すように、第一保護部１４２の外側セグメントを通過する軸Ａ−Ａ’と直交する任意の切断面Ｐに対して、この切断面Ｐ内の起動部１３４の断面Ｓ全体が、保護表面ＳＰ内に位置している。したがって、第一保護部１４２および／または第二保護部ＰＰを鋸引きすることなく、起動部１３４に鋸が到達することは不可能である。
【００４８】
第一保護部１４２および第二保護部ＰＰは、少なくとも２００ＭＰａ、好ましくは、少なくとも３００、４００、５００、８００、１０００または１２００ＭＰａの機械的引張強さ（ＲＭ）、または、少なくとも１００ＨＢ、好ましくは、少なくとも２００ＨＢ、３００ＨＢまたは４００ＨＢの硬度（ブリネル硬度）を有する材料からなっている。材料が硬くなればなるほど、鋸引きしにくくなる。そのため、説明する例では、第一ハウジング１０６、バレル１０４、カム１１８および第二ハウジング１４０は、それぞれ、少なくとも２００ＭＰａの機械的引張強さ（ＲＭ）を有する。例えば、それらはそれぞれザマック（Ｚａｍａｋ、商標）で作られる。説明した例では、第一保護部１４２は、例えば硬鋼で作られている。
【００４９】
できれば、第一保護部１４２は、各切断面Ｐ内において、第二保護部ＰＰからの距離が最大でも１０ｃｍであることが好ましい。こうすると、第一保護部１４２と第二保護部ＰＰとの間に通常の大きさの鋸を通すことはさらに困難となる。
【００５０】
図５に示すように、悪意のある者は、鋸１４４を用いて、起動部１３４を軸Ａ−Ａ’に対して垂直に鋸引きしようとする。
【００５１】
明らかなように、第一保護部１４２により、鋸１４４は、第一保護部１４２および第二保護部（図５の第一ハウジング１０６）に接する前に、保護空間ＳＰの外側に位置する起動部１３４の一部を鋸引きすることができる。図４のように配置されると、起動部１３４の一部でさえも鋸引きすることはできない。したがって、起動部１３４の鋸引きを続けるために、悪意のある者は、第一保護部および／または第二保護部も鋸引きしなければならない。しかし、これらの部品の高い強度は、鋸引きを困難かつ時間がかかるものにし、不法侵入を十分に遅らせる（通常は２分より長くする）ことができるので、悪意のある者を思いとどまらせることができる。
【００５２】
前述の説明を読むと明らかなように、本発明による盗難防止装置は、ステアリングコラムの施錠システム１２０の起動部１３４を鋸引きすることによる無効化の危険性を低減する。
【００５３】
本発明は、上述した実施形態に限定されるものではなく、特許請求の範囲に基づいて定められる。当業者にとって、上述した実施形態に修正を行うことができるのは明らかであると思う。
【００５４】
例えば、上述し、図示した部品の形状は、単に例示に過ぎない。所望の機能が実行される限り、他の形状としてもよい。
【００５５】
さらに、特許請求の範囲に用いられている用語は、上述した実施形態の要素に限定されるものとして理解されるべきではなく、当業者が、それらの用語の一般的な知識から推測することができるすべての均等な要素を含むものとして理解されるべきである。
【符号の説明】
【００５６】
１００  盗難防止装置
１０２  施錠部
１０４  バレル
１０６  第一ハウジング
１０８  後部スロット
１１０  周方向隆起部
１１２  周方向開口部
１１３  ストッパ
１１４  舌片
１１６  溝
１１８  カム
１２０  施錠システム
１２２  保持システム
１２４  平板
１２６  ロッド
１２８  戻りシステム
１３０  第一戻しばね
１３２  第二戻しばね
１３４  起動部
１３６  第一係止端
１３８  第二係止端
１４０  第二ハウジング
１４１  通過開口部
１４２  第一保護部
１４４  鋸
Ｄ１、Ｄ２  保護表面を画定する直線
Ｐ  切断面
ＰＰ  第二保護部
Ｓ  起動部の断面
ＳＰ  保護表面
【図１】
2017525872.tif 000003
【図２】
2017525872.tif 000004
【図３】
2017525872.tif 000005
【図４】
2017525872.tif 000006
【図５】
2017525872.tif 000007
【国際調査報告】
2017525872.tif 000008
2017525872.tif 000009
2017525872.tif 000010
2017525872.tif 000011
2017525872.tif 000012
2017525872.tif 000013